(57)【特許請求の範囲】
【請求項１】
コンクリートスラブと上部の床板との間に形成される床下空間に配置した蓄熱媒体に蓄熱し当該蓄熱媒体から適宜熱を取り出し室内を冷暖房する冷暖房構造であって、当該床下空間に水又は水と同効の液体から成る蓄熱材を充填した袋状容器であるセルの一以上から成る蓄熱槽を構成し、かつ床下空間に対しては空間外部の熱を供給する手段が設けられ、供給された熱は当該蓄熱槽の各セル外面からセル内部の蓄熱材に蓄熱されるよう構成したものであって、当該セルは合成樹脂層と金属箔とにより構成されたラミネート材からなる袋状容器に蓄熱材を充填したものであり、かつこのセルは当該袋状容器を直接支持する支持部を有する支持部材により床下空間の中空部に位置するよう支持された冷暖房構造において、
前記支持部材は床下空間上部から吊り下げられた吊り下げ部材であり、前記ラミネート材からなる袋状容器は長手方向両端にシール部を有し、このシール部が吊り下げ部材の支持部に対し上下方向にそれぞれ位置するよう当該袋状容器が支持部に配置されたことを特徴とする家屋の冷暖房構造。
【請求項２】
長手方向にシール部を有しかつラミネート材からなる袋状容器のシール部は、吊り下げ部材の支持部に対して水平に位置し、袋状容器内の蓄熱材により当該シール部が支持部側壁に圧着するよう構成したことを特徴とする請求項１記載の家屋の冷暖房構造。
【請求項３】
コンクリートスラブと上部の床板との間に形成される床下空間に配置した蓄熱媒体に蓄熱し当該蓄熱媒体から適宜熱を取り出し室内を冷暖房する冷暖房構造であって、当該床下空間に水又は水と同効の液体から成る蓄熱材を充填した袋状容器であるセルの一以上から成る蓄熱槽を構成し、かつ床下空間に対しては空間外部の熱を供給する手段が設けられ、供給された熱は当該蓄熱槽の各セル外面からセル内部の蓄熱材に蓄熱されるよう構成したものであって、当該セルは合成樹脂層と金属箔とにより構成されたラミネート材からなる袋状容器に蓄熱材を充填したものであり、かつこのセルは当該袋状容器を直接支持する支持部を有する支持部材により床下空間の中空部に位置するよう支持された冷暖房構造において、
３枚のプレートの両端部を接続して断面三角形のスタンドを形成して支持部材とし、かつこのスタンドを水平方向に複数連接したスタンド群をコンクリートスラブに載置し、各スタンドに対してセルを配置したことを特徴とする家屋の冷暖房構造。
【請求項４】
前記水平方向に連接したスタンド群を鉛直方向に複数段配置したことを特徴とする請求項３記載の家屋の冷暖房構造。
【請求項５】
コンクリートスラブと上部の床板との間に形成される床下空間に配置した蓄熱媒体に蓄熱し当該蓄熱媒体から適宜熱を取り出し室内を冷暖房する冷暖房構造であって、当該床下空間に水又は水と同効の液体から成る蓄熱材を充填した袋状容器であるセルの一以上から成る蓄熱槽を構成し、かつ床下空間に対しては空間外部の熱を供給する手段が設けられ、供給された熱は当該蓄熱槽の各セル外面からセル内部の蓄熱材に蓄熱されるよう構成したものであって、当該セルは合成樹脂層と金属箔とにより構成されたラミネート材からなる袋状容器に蓄熱材を充填したものであり、かつこのセルは当該袋状容器を直接支持する支持部を有する支持部材により床下空間の中空部に位置するよう支持された冷暖房構造において、
コンクリートスラブに複数のダクト部材を配置し、当該ダクト部材の上部にセルをそれぞれ配置したことを特徴とする家屋の冷暖房構造。
【発明の詳細な説明】
【技術分野】
【０００１】
本発明は家屋等の建築構造物の内部空間を冷暖房するための構造に係り、特に太陽光などの自然エネルギー、又は冷暖房機器や燃料電池等の人工的なシステムから廃熱として排出されるプラスの熱又はマイナスの熱等の各種の熱を比較的大容量で蓄熱し、この蓄熱した熱を有効利用するための冷暖房構造に関する。
【背景技術】
【０００２】
家屋の床下の基礎部分にコンクリーを打設し、或いは水槽を形成し、更には水が充填された容器を形成設置し、これらを蓄熱材として用い、蓄熱された熱を取り出して、適宜室内を冷暖房(主に暖房)する冷暖房するシステムが例えば下記特許文献に示すように何種か提案されている。
【０００３】
【特許文献１】特開２００４−３４７２２０号公報
【特許文献２】特開２００７−０５６６４９号公報
【特許文献３】特開２０１２−０１３２４０号公報
【特許文献４】特開２０１２−２２０１３１号公報
【特許文献５】特開２００９−２５０４６６号公報
【発明の概要】
【発明が解決しようとする課題】
【０００４】
上記特許文献に代表されるシステムの大半は床下底面部を形成するコンクリート層が蓄熱材（蓄熱層）として構成される構造となっており、この蓄熱材に対して熱を出し入れする手段として送風システム又は温水パイプが配設される等、熱源と蓄熱材との間で熱を運ぶための送風ダクト温水パイプ等の伝熱媒体を運ぶための経路を必要とするものが多く、かつ熱を蓄熱材に有効に伝達するためこの経路を複雑に屈曲形成する必要があって、システムの設置費用が高くなる。またパイプの劣化による伝熱媒体の漏れの問題も生じる。
【０００５】
上述のように各特許文献記載の蓄熱手段の大半はコンクリートであり、やや例外的に水等の液体を充填した蓄熱層を用いる例（特許文献５）もあるが、いずれにしても床下部のコンクリート打設工事や水槽の形成等、システム構築においては家屋の基本構造に大きな影響を与えるものである。このため蓄熱システムの構築は事実上家屋等の構造物の新築時に限られる。
【０００６】
また、水などの伝熱媒体を使用する場合はパイプなどによる伝熱媒体の流動経路を特定する必要があることにより、これらの経路を循環流動する伝熱媒体に対して熱を供給する熱源はこれらの循環経路と接続可能なもの、例えば電気ヒータ、太陽熱温水器等のように個別の装置や機材に限られることになる。このためシステムの運転状況や経済性などが熱源の性質に大きく依存することになる。例えば熱源が電気ヒータ等のように人工的なものであれば、安定的に熱の供給が可能であるが、運転経費は高額となり、また逆に太陽熱温水器の場合には運転経費は廉価であるが、天候に左右されるなど不安定な運転を余儀なくされるなど問題がある。
【０００７】
さらに、当然のことながらこれらのシステムの蓄熱容量は設置された蓄熱材の有する特定体積当たりの蓄熱量（蓄熱性能）とこれらの蓄熱材の体積の積であり、これ以上に増やすことはできない。つまり蓄熱材として地下に水槽を形成したり、家屋の基礎構造として打設したコンクリート利用する場合、家屋を構築した後にこれらの蓄熱材の熱容量を増加することは事実上不可能である。
【０００８】
また、これらの蓄熱材の有する熱量は家屋の冷暖房に十分に利用されているとは必ずしも言い難い。つまりコンクリート7や水槽内の熱量は少なからず地中に放散されてしまう。また、断熱材層を形成してもこれらコンクリートや水槽等が保有する熱容量では必要とする熱量には不十分であり、結局各種冷暖房装置の補助的熱源と以上のものではなかった。
【課題を解決するための手段】
【０００９】
本発明は上記従来技術の問題点を解消したものであって、最大の熱容量を有する水を充填した１以上の水容器(以下実施例も含めて「セル」と称する)を蓄熱部材とし、人が生活する空間部の下部空間(例えば家屋の場合には床下空間)にセル表面の大半がこの空間と接するよう当該セルを配置し、このセルを配置した間全体を蓄熱空間とした冷暖房システムである。
【００１０】
より具体的には、本発明の基本構成は、前記蓄熱空間とされる空間に対して複数のセルを配置し、このセルを空間上部から吊り下げ、或いは空間下部から立設した支持具により支持することにより、各セルは当該空間の中空部に位置させ，当該各セルの表面の大半が当該空間に接するよう構成し、この空間部に対して伝熱可能な手段、例えばダクト、ファン等の送気手段、エアコンの屋外機や室内機、温水パイプ等、凡そ熱伝達可能な手段を配置した冷暖房システムである。
【００１１】
本発明の他の構成は、セルを配置した空間全てをこのセルを含めて蓄熱空間として構成することにより、従来に比較して大容量の蓄熱素材とし、かつセル内では水の循環流動によってセル外部の熱と効率よく熱交換し比較的短時間で蓄熱し、空間全体を短時間かつ大容量の蓄熱手段とし、\この空間の熱量を温風又は冷風として取りだす冷暖房システムである。
【００１２】
本発明の更に別の構成は、セルを構成する素材を袋状に形成し、このセルを支持する支持部材の断面形状に合せて、略円形、略三角形、略四角形等のようにその断面形状を変えられるように構成した冷暖房システムである。
【発明の効果】
【００１３】
本発明は上記の構成となっているため、電気、ガスなどの人工的な熱源、各種装置の廃熱、太陽熱等の自然の熱源等、セルを配置した空間部まで伝達可能な熱であれば全て利用可能であり、熱利用の汎用性が極めて高い。
【００１４】
また、床下空間などの人の居住空間に隣接した空間をセルを含めて非常に大きな蓄熱部として構成可能であるため、不要な熱を長期間蓄熱し、この熱を必要な時に利用することが可能となる。
【００１５】
さらに、一日単位の熱利用に関しても、この熱容量の大きさ故、熱源が太陽熱のみでも、例えば数日雨か曇りであっても、晴天時に蓄熱した大量の熱により有効な暖房が実行可能であって、不安定な自然エネルギーを安定的に利用することが可能となる。
【００１６】
また更に、セルを袋状の素材とすることにより、セルの長さ、セルの断面形状、設置本数を自由に選択可能となる。このため、どのような空間形状に対してもその空間を最も有効な蓄熱空間とすることができ、かつ、建築後の家屋に対してもリフォーム工事などの比較的簡単な工事で、所定の空間を蓄熱空間とすることができる。
【図面の簡単な説明】
【００１７】
【図１】本発明に係る冷暖房構造の基本的構成を示す家屋の断面部分図である。
【図２】図１のＡ−Ａ線による断面図である。
【図３】家屋の床下部分の断面部分図であり大引に吊り下げ支持された状態の吊り下げ部材の側面を示す図である。
【図４】吊り下げ部材の支持部の斜視図である。
【図５】大引に吊り下げ支持された状態の吊り下げ部材の断面を示す図である。
【図６】吊り下げ部材の別の取り付け方法を示す図であって、（Ａ）は掛止部材と支持部の斜視部分図、（Ｂ）は大引に吊り下げ支持された状態の吊り下げ部材の断面を示す図である。
【図７】図６に示す吊り下げ部材の取り付け手順の一例を示す家屋の床下部分の断面部分図である。
【図８】図４に示すものとは別の構成の吊り下げ部材の支持部の斜視図である。
【図９】（Ａ）及び（Ｂ）は袋状容器と支持部材の断面図である。
【図１０】（Ａ）及び（Ｂ）は袋状容器とスタンドの断面図である。
【図１１】スタンドを連接したスタンド群の断面図である。
【図１２】（Ａ）及び（Ｂ）は袋状容器とダクト部材の断面図である。
【図１３】大引に略Ｕ字形の支持部を取り付けた状態の支持部、大引の断面図である。
【図１４】（Ａ）はスペーサに配置された各種形状の支持部の斜視図、（Ｂ）はスペーサと支持部の断面図である。
【図１５】袋と支持部の断面図である。
【図１６】袋と支持部の断面図であり、（Ａ）は水を注入した状態、（Ｂ）は水を注入する前の状態を示す図である。
【発明を実施するための形態】
【００１８】
以下、本発明の実施の形態を図に基づいて具体的に説明する。
【実施例１】
【００１９】
図１及び図２は本発明の基本的な構成概念を示す図である。図中符号Ｈは本蓄熱システムを設けた構造物たる家屋である。先ず主として図１において、１は床板を配置して形成した床面であり、この床面１により上部に居住空間２が形成され、下部に蓄熱用の床下空間（以下「蓄熱空間」とする）３が形成される。５は蓄熱空間３の底部を形成するコンクリートスラブ、６は断熱材層であり、床面１の下部の外、蓄熱空間３を囲うよう形成されている。
【００２０】
次に符号Ｓは床面１に形成されたスリットであり、蓄熱空間３の暖気又は冷気を居住空間２に流出・流入させるためのものである。なお前記コンクリートスラブ５及び断熱材層６は本発明の必須の構成要素ではない。図示のスリットＳは単なる開口として示してあるが、開閉用蓋を設けたり、空気の流出方向を制御するルーバーを設けたり或いはファンを設置すること等は当業者が自由に選択できる事項である。
【００２１】
４は水を貯留した蓄熱槽であり、複数の水貯留槽（以下「セル」と称する）から構成されている（その構成例を図２において、符号７ａ乃至７eで示す）。この蓄熱層４は後述する各実施例に示すように床面１の裏面部から吊り下げ、或いは蓄熱空間３の底面に配置された支持部材に配置されることにより、蓄熱空間３を形成する空間の中空部に配置されるよう構成されている。これにより各セルの表面ができるだけこの蓄熱空間部に露出するようになっている。
【００２２】
矢印Ｈｅは伝熱媒体によりこの蓄熱空間３に供給される熱であり、例えば太陽熱温水器で加熱された温水により供給された熱、水により冷却された冷風により供給された冷熱等自然由来のもの、或いは冷暖房装置の屋外機の廃熱、同装置の屋内機からの温風又は冷風、湯沸かし器の廃熱等人工的な熱源等、水などの液体或いは空気等の気体を伝熱媒体として当該蓄熱空間３に供給可能な熱であればその種類を問わない。
【００２３】
図３、図４、図５は各セル７の配置状態を示す。先ず、これらの図に示すように吊り下げ型の構成を何種か示し、続いて設置型の構成を示す。
先ず、主として図４においてセル７を吊り下げる吊り下げ部材を示す。符号８はこの吊り下げ部材の主要部を成す支持部であり、鉄板、アルミ板などの熱伝導性の高い材料から構成され、図示の如く断面略Ｕ字型に形成されている。また、この支持部８により支持されるセルは、後述するように、奥行き方向に対して長尺の袋状に形成され、この袋状容器に水が充填密封される構成となっている。
【００２４】
符号９は吊り下げ金具である。図示の吊り下げ金具９は略Ｓ型であるが、Ｃ型等、目的に応じて形状を変更してもよい。図３はこの吊り下げ部材を吊り下げ、支持部８に支持された各セルが蓄熱空間３の中空部に位置された状態を示す。即ち、各セルを支持した吊り下げ部材は吊り下げ金具９を床下の根太１０を支持する大引１１に取り付けられたビス１２にそれぞれ掛止され各セルを前記の位置で支持配置する。
【００２５】
図５は、前記図３、図４の構成の変形例を示す。
先ず、各支持部８の下部には金属板１３が別の吊り下げ金具１４により吊り下げ配置されている。この金属板１３は次の機能を有している。例えば、温風により供給された熱の場合、セル７に接触する支持部８よりもこの金属板１３の方が早く昇温する。このため金属板１３から輻射熱が支持部８に流れ、結果的に支持部８により支持されたセル７が早く昇温蓄熱する。またこの構成では吊り下げ金具９はＣ型のものを使用しており、かつ床面１は大引１１に直接形成され、床面伝熱により直接的に床冷暖房を行えるよう構成されている。
【実施例２】
【００２６】
図６、図７は第２の実施例を示す。
この実施例は、主に蓄熱層４の施工性の向上、同蓄熱層４の容量の調整等を図ったものである。
【００２７】
図６において、支持部８の金属板はその幅を調節することにより図６（Ｂ）の支持部８Ａの如くセルの支持空間を拡大することができ、大容量のセル７Ａを配置することができる。当然、配置空間を小さくして小容量のセル（図示せず）を配置することもできる。同図(Ａ)は掛止部材１５に対する支持部８の取り付け状態を示す。なお。取り付け方法の詳細は後述する図７で示す。
【００２８】
図７は支持部８の施工方法を示す。
予め支持部材（直接的には支持部８）取り付け用の掛止部材１５が大引１１に対してほぼ等間隔にそれぞれ取り付けられている。１５ａは支持部８の側縁と係合する段部である。一方支持部８を形成する金属板は平板状に形成されており、その長手方向の側縁はそれぞれ屈曲形成されて係合部８ａとなっている。
【００２９】
取り付けに当たっては、金属板の一方の係合部８ａを掛止部材１５の段部１５に係合させる（図の左側）。次に金属板をその幅方向に屈曲させ（図の中央）、最後に他方の係合部を前記掛止部材に対向する位置の他の掛止部材の段部１５ａに係合させて支持部８を形成する。なお予め金属板に形成されているビス挿通穴８ｂ（図６（Ａ）参照）を介してビス１６を掛止部材１５に螺合させて支持部８を掛止部材１５に固定する。
【００３０】
図８は上記に示した構成の変形例であり。具体的には図３に示した吊り下げ部材の変形例である。図示の構成の支持部８は金網、エキスパンドメタル、或いは金属板に多数の小孔を形成した所謂パンチングメタル等、素材そのものが熱伝導性が高く、かつ通気性を有する素材から構成されている。また、符号８Ｂは支持部８の補強用のベルトであり、このベルト８Ｂに対して吊り下げ金具９がそれぞれ取り付けられるよう構成されている。この構成は支持されるセルに対する熱の出入りをより効率的に行えるよう構成されている。
【実施例３】
【００３１】
図９は第３の実施例を示す。
この実施例は、支持部８に対するセル７の配置方法を示している。先ず水等の蓄熱材（以下各実施例とも水を例に説明する）を充填したセル７の構成資材は、発明者らが別途提案している床暖房システムの主要構成素材の水容器を形成する袋状容器が好適である（特許第５０３９３０１号、第４４４２９５８号、第３９３０３６８号等参照）。この袋状容器は合成樹脂層と金属箔層を複数層形したラミネート材を折り曲げて、折り曲げ後の側縁同士を熱圧着して融合固定した構成、或いは二組のラミネート材の両側縁をそれぞれ熱圧着によりシールした構成が用いられる。いずれの構成も極めて安定性が高く、長期間設置しても経年劣化による水漏れなどの事故の発生はほぼ皆無であることが実証されている。また内部の水に対する熱伝導性も非常に良好であり、この水に対する蓄熱・放熱も効果的に行えることもまた実証されている。
なお、「水」に対して不凍液などのある種の添加物を加えたもの等、無添加の水に匹敵する高い比熱を有する液体も本発明に使用する蓄熱材とする。これら蓄熱材を以下単に「水」と表記して説明する。
【００３２】
図９はセルを構成する袋７´の支持部８に対する配置方法を示す。同図（Ｂ）はセル７を構成する袋であり、上記水容器構成用の袋のうち、両側縁部をシールした構成の袋７´を用いている。袋７´は支持部８に対してその一面が密着するように配置するよりも図示の如く袋側縁のシール部が上下に位置するよう支持部８に対して縦に配置してある。また支持部８の中央部奥行き方向には溝部８ｃが屈曲形成されており、袋７´を配置する際にこの袋７´の一方のシール部をこの溝部８ｃにより挟持するようになっている。
【００３３】
以上の状態で袋７´に水を注入し、水を充填した後、水注入口（図示せず）をシールし、セル７を形成する（同図（Ａ）参照）。このようにすれば膨らんだ袋７´の２枚の平面部が支持部８の内壁面により支持され、水圧がシール部に対してこれを引き剥がす方向に作用するのを防止するようにすることができる。
なお、図示しないが、支持部８の奥行き方向に対してこの支持部を２分割し、この二つの分割部分の接合部に例えばゴム等の可撓性を有する材用からなる挟持部材を配置し、前記袋７´のシール部の一方を挟持しておく。このようにして袋７´を予め支持部８に取り付けておけば施工時、特に袋７´に水を注入する際に、袋７´に対して縦に配置し続けるように当該袋７´を支持し続ける必要はなく、施工性が向上する。
【実施例４】
【００３４】
図１０は第４の実施例を示す。
この実施例は蓄熱空間３の底面、例えば図１のコンクリートスラブ５の表面に配置する据え置き型の構成を示す。符号１８は断面３角形に形成されたセル支持用の部材（以下「スタンド」と称する）であり、このセル７を収納支持した複数のスタンド１８を連接することにより蓄熱槽４（図１参照）を構成する。
【００３５】
図示のスタンド１８は符号１８ａ、１８ｂ、１８ｃで示す３枚の部材（以下「プレート」と称する）を組み立て構成されている。また各プレート１８ａ、１８ｂ、１８ｃは平板の金属板、前述の金網、エキスパンドメタル、パンチングメタル等用途に応じて選択可能であり、また一つのスタンド１８を構成する際にこれら異なる構成のプレートを組み合わせて使用してもよい。
【００３６】
セル７を収納したスタンドの施工例を次に示す。先ず図１０（Ｂ）において２枚のプレート１８ａ、１８ｂの一端を挟持部材１６、ボルト１７によって接続する。その際に袋７´の一方のシール部をこの挟持部１６により挟持しておき、水注入前の袋７´がスタンド１８内で位置ずれしないようにしておく。
【００３７】
次にスタンド１８の上部に位置する第３のプレート３ｃを取り付ける。具体的には各プレート１８ａ，１８ｂの端部に屈曲形成した接続部１８ａ´、１８ｂ´を当該第３のプレート３ｃの接続両端の接続部１８ｃ´にそれぞれ近接配置し、前述と同様のボルト１７を挿通し全体を断面３角形のスタンド１８に構成する。またこのスタンド１８に対して同様の構成の他のスタンド１８を所望の個数連接して一体的な蓄熱槽を形成する。このように形成した蓄熱槽を例えば蓄熱空間３の底面を形成るコンクリートスラブ５の表面に配置する。
【００３８】
図１１は前記構成の変形例を示す。同図（Ａ）に示す構成は基本的には図１０に示す構成と同様である。符号３０はコンクリートスラブ５に対して平行に配置された保持部材であり、この保持部材３０に溝に各パネル１８ａ、１８ｂ、１８ｃの下端部に位置するそれぞれの接続部１８ａ´、１８ｂ´、１８ｃ´(図１０参照)を嵌合させてそれぞれのスタンド１８を一体化させると共に一体化されたスタンドがコンクリートスラブ５に載置されたた状態とする。
【００３９】
同図（Ｂ）は一体化されたスタンド１８を鉛直方向に複数段（図示の場合は２段）配置した構成を示す。具体的には、スタンド１８を構成する各パネル１８ａ、１８ｂ、１８ｃの接続手段が図１０に示す構成とはやや異なり、各パネル１８ａ、１８ｂ、１８ｃのそれぞれの接続部１８ａ´、１８ｂ´、１８ｃ´(図１０参照)を相互に接続する専用の連結材１９を用いる構成となっている。連結材１９は例えば硬質ゴム、プラスチック、アルミニウム等により成形され、連結材１９の奥行き方向に形成された各溝に対して各パネル１８ａ、１８ｂ、１８ｃのそれぞれの接続部１８ａ´、１８ｂ´、１８ｃ´を連結材１９の溝にそれぞれ嵌合させてスタンド１８を形成し、かつ所望の個数のこれらスタンド１８を連接し、さらに各スタンド１８の袋７に水を充填することによって一体的な蓄熱槽４を構成する。符号２２は各スタンド１８の間に形成された空間部でありスタンド１８内のセルに伝熱する伝熱用空気（たとえば温風）の通路である。
【００４０】
なお、一体化された各スタンド１８の上部に位置する連結材１９に対してビス２０を螺合させて固定板２１を固設すれば、各スタンド１８のパネルの結合をより強固にすることができ、結果的に蓄熱槽４全体の強度を増すことができる。以上の構成とすることにより、基本的には各パネル１８ａ、１８ｂ、１８ｃの接続部１８ａ´、１８ｂ´、１８ｃ´を連結材１９の溝にそれぞれ嵌合させるだけで貯水槽を容易に構成可能である。即ち、新築時以外でも、作業を簡素化できるので既設の家屋の床下空間に対しても本構造を容易に設置できる。
【００４１】
なお図（Ｂ）における上段の蓄熱槽４´と下段の蓄熱槽４は、各スタンドが相互に並行するよう配置されているが、例えば上段の蓄熱槽を９０度回転させて各蓄熱槽が鉛直方向から見て交差するよう配置してもよい。また、配置空間の大きさが許せば３段以上の多段に構成することも可能である。
【実施例５】
【００４２】
図１２は第５の実施例を示す。この実施例の構成は伝熱媒体である空気の通路を構成し、この空気通路に密着してセルを配置した構成である。符号２３はダクト部材であり、例えば図示のように、断面略蒲鉾型に形成されている。ダクト部材２３の構成素材は、たとえば図４、図６に示されるような吊り下げ部材の支持部８と基本的に同様な構成が利用可能である。即ち、後述する水を充填したセル７の荷重を支持できる強度を持っていれば金属板、金網、エキスパンドメタル、パンチングメタル等が利用可能である。
【００４３】
ダクト部材２３の頂部の中央にはダクト部材２３の奥行き方向に対して仕切板として機能する突条２３ａが屈曲形成されている。このように構成されたダクト部材２３の下部端縁を平行に配置された固定部材２４の溝にそれぞれ嵌合させ、複数のダクト部材２３を連接する。なおダクト部材２３の取り付けは、予め蒲鉾型に成形したものを固定部材に嵌合させる外、例えば図７に示される支持部８の形成のように、平板状の素材を取り付け時に屈曲させて固定部材２４に嵌合固定するようにしてもよい。
【００４４】
このようにダクト部材２３が配置されたならば、各ダクト部材２３の屋根部（上面）のそれぞれの突条２３ａの間の空間部に袋７´を配置して水を充填密封して図示の様なセル７を各ダクト部材の屋根部に密着配置する。なおこの場合、袋７ｓ´のシール部を隣接するダクト部材により形成された略Ｖ字型の溝部に嵌挿すれば、シール部の補強にも役立てることができる。
【００４５】
この構成ではダクト部材２３の設置が容易であり、各ダクト部材２３に対してセル７を載置するだけで蓄熱槽が構成でき、施工性が高い構成となっているので前記実施例と同様既設の住宅にも容易に実施可能である。
【００４６】
図示の構成の右端のダクト部材２３においては突条２３ａを低く形成し、低い分だけ増設板を取り付けてある。符号２３ａ´は増設板である。この増設板２３ａ´の一側に形成された溝をダクト部材２３の突条２３ａに嵌合させることによりこの突条２３ａと一体化させ、結果的に突条２３を嵩上げする。
【実施例６】
【００４７】
図１３は第６の実施例を示す。
この実施例は図３に示す第１の実施例と類似する構成を有するものである。即ち、前記第１の実施例が根太１０に対して支持部８を吊り下げていたのに対して支持部を根太１０に固定した構成となっている。
【００４８】
図中符号２５は支持部であり、図示の如く底面部が平坦で、両側縁部がこの底面部から略９０度屈曲形成された断面略Ｕ字状に形成されている。支持部２５の形成材料も、実施例１の支持部８と同様アルミ材、鉄板或いはこれらの材料から成るパンチングメタル、エキスパンドメタル等熱伝導性の高い材料から構成されている。この支持部２５は両側縁部がビス等の固定手段により両側の根太１０にそれぞれ固定されており、この状態の支持部２５に対して、これもやはり実施例１と同様に水を充填したセル７がそれぞれ配置されている。
【００４９】
なお、前記支持部２５の両側縁部を前記９０度から上方部に向かってやや展開して、支持部断面を逆台形に形成しておけば、並行する根太１０の間に支持部２５を差し込めば、両側縁部が支持部構成材料の弾性により両根太に密着安定し、支持部取付の施工性をより高める事ができる。
【００５０】
この実施例の場合には、大引１１を配置した時点でセル７を形成する水袋を各支持部２５に配置して水を充填密封するか、或いは大引１１に根太１０を取り付けた後に根太の間から水袋を挿入して水を充填する等の方法が採用でき、施工性を高くすることができる。
また、図示の構成では支持部２５を根太１０の間に配置し、つまり大引１１に対して直交するように配置しているが、例えば大引１１の間の空間にこの大引１１に平行するよう配置することも可能である。この場合は、支持部２５の対向する壁面の上端を外側に折り曲げ、この折り曲げ部を大引に係止させ、支持部２５が大引１１の間に吊り下げた状態で大引１１にビス等で固定するのが効果的である。
【実施例７】
【００５１】
図１４（Ａ）及び（Ｂ）は第７の実施例を示す。
この実施例は蓄熱空間の床面側に載置した支持部によりセルを収納支持する構成である。
同図（Ａ）において、符号２７Ａは円筒形の支持部であり、同２７Ｂは断面略Ｕ字状の支持部、同２７Ｃは断面略Ｖ字状の支持部である。図（Ａ）の構成ではこれら３種類の形状を例示的に示したが、施工上通常はこれらのうちの一種類のみの支持部で蓄熱槽を構成し、必要に応じて他の形状の支持部を使用する。例えば円筒形の支持部２７Ａを配置し、一部形状的に円筒形の支持部２７Ａが配置できない空間が残った場合にこの空間部に断面Ｖ字型の支持部２７Ｃを配置する等である。
【００５２】
なおこれら支持部２７Ａ、２７Ｂ、２７Ｃの構成材料は前記実施例の支持部２５と同様
アルミ材、鉄板或いはこれらの材料から成るパンチングメタル、エキスパンドメタル等熱伝導性の高い材料とする。これら支持部２７Ａ、２７Ｂ、２７Ｃ内にはこれも前記実施例と同様水を充填密封したセル７がそれぞれ収納配置されている。符号２６はコンクリートスラブ５に配置されたスペーサであり各支持部２７が載置されると共に、各支持部２７の下に温風、冷風等の伝熱媒体が通過する空間を確保している。なお図示されていないがこれら支持部２７Ａ、２７Ｂ、２７Ｃ内には水を充填密閉したセルが各々配置される。
【００５３】
なお、図（Ａ）は支持部２７Ａの奥行き方向に対して並行して熱媒体が通過するよう構成されている。
一方図（Ｂ）の構成はこれら支持部に対して熱媒体が直交して通過するよう構成されている。また、符号２７Ｄで示す支持部の形状は断面略蒲鉾型に形成されたものを示しているが、この形状に限定するものではなく、同図（Ａ）に示すような円筒形或いは略Ｕ字状や三角形の形状であってもよい。
なお、上記図１４及び図３乃至図１２に示される構成は支持部８、或いはスタンド１８、ダクト部材２３等により袋７´から成るセル７を支持する構造であったが、袋７´の外皮を例えば金属薄板により構成し、セル７自体の強度が十分に保てるならばこれらセル７を支持する構造を廃して、セル７自体を直接吊り下げたり、あるいは図１４に示すようにスペーサ２６に対して直接載置してもよい。
【実施例８】
【００５４】
図１５は第８の実施例を示す。
図示の構成では図９に示す第３の実施例とは逆に袋７´を支持部８に対して水平に、つまり袋７´の両端のシール部が水平に対向位置するように配置されている。支持部８は深めに形成されており、従って袋７´に注水したときに両シール部が支持部８の側壁のかなり下側に位置することになる。これによって袋７´の内部の水圧によってシール部が側壁に強く密着するように作用し、シール部のはがれを防止する。蓄熱空間３の空間的制約や家屋の構造上の制約が無ければこの構成が袋７´の配置という点では最も施工性が高いものである。
【実施例９】
【００５５】
図１６は第９の実施例を示す。
この構成は袋の水平配置で、支持部８の深さをあまり大きくできない場合に有効である。
同図（Ｂ）において、符号８ｄは支持部８の内側奥行き方向に形成したシール部係止体である。支持部８に対して袋７´を配置する際に当該袋７´のシール部をこの係止体の溝に嵌入させる。この状態で袋７´に注水して同図（Ａ）の如く水を密封すると、水圧により係止体８ｄによりこのシール部は確実に挟持される。なおこのシール部止体８ｄは、剛性の高い材料よりも、ゴムなどの可撓性の材料により構成し、内部の水圧によりある程度変形するように構成しておけばシール部の圧着性を高め、かつ同シール部を過度のおりまげから守ることができる（同図（Ａ）参照）。
【産業上の利用可能性】
【００５６】
以上本発明を、人が居住する家屋を例に説明したが、床下に空間が形成される構造の構築物であれば、家屋以外でも応用可能である。
【符号の説明】
【００５７】
１  床面（床板）
２  室内空間
３  蓄熱空間
４  蓄熱槽
５  コンクリートスラブ
６  断熱材
７  セル
７´  袋（水貯留用）
８  （吊り下げ部材の）支持部
８Ｂ  （網状支持部の）補強用ベルト
８ａ  （支持部の）係合部
８ｃ  （支持部の）溝部
８ｄ  （支持部の）係止体
９  吊り下げ金具
１０  根太
１１  大引
１２  ビス
１３  金属板（輻射用）
１４  吊り下げ金具
１５  掛止部材
１５ａ  （掛止部材の）溝部
１６  挟持部材
１７  ボルト
１８  スタンド
１８ａ、１８ｂ、１８ｃ  （スタンド１８を構成する）プレート
１８ａ´、１８ｂ´、１８ｃ´  接続部
１９  連結材
２０  ビス
２１  固定板
２２  空気通路
２３  ダクト部材
２３ａ  （ダクト部材の）突条
２３ａ´増設板
２４  固定部材
２５  （略Ｕ字形）支持部
２６  スペーサ
２７Ａ、２７Ｂ、２７Ｃ、２７Ｄ  支持部
Ｈ  家屋
Ｈｅ  （伝熱媒体により供給される）熱
【図１】
0006526979.tif 000002
【図２】
0006526979.tif 000003
【図３】
0006526979.tif 000004
【図４】
0006526979.tif 000005
【図５】
0006526979.tif 000006
【図６】
0006526979.tif 000007
【図７】
0006526979.tif 000008
【図８】
0006526979.tif 000009
【図９】
0006526979.tif 000010
【図１０】
0006526979.tif 000011
【図１１】
0006526979.tif 000012
【図１２】
0006526979.tif 000013
【図１３】
0006526979.tif 000014
【図１４】
0006526979.tif 000015
【図１５】
0006526979.tif 000016
【図１６】
0006526979.tif 000017